(57)【要約】【課題】  装置を構成する部品の機能の異常を診断する異常診断装置、および、この異常診断装置を備えた画像読取装置を提供する。【解決手段】  複数の長尺な信号ラインが幅方向に並べられたフラットケーブルと、該フラットケーブルの各信号ラインとの電気的接続を行い該フラットケーブルの幅方向一端側の第１信号ラインから入力された信号を該フラットケーブルの幅方向一端に対する他端側の第２信号ラインに出力するコネクタとの電気的接続が正常であるか異常であるかを診断する異常診断装置であって、第１信号ラインに信号を送信する送信部と、第２信号ラインを通って出力されてきた信号を受信する受信部と、送信部から前記第１信号ラインにテスト信号を送信させ前記受信部で該テスト信号を受信したか否かを判定しフラットケーブルとコネクタとの電気的接続に異常があると診断する診断部とを備えた。【選択図】        図４
2006128969.tif 000002
【特許請求の範囲】
【請求項１】
複数の長尺な信号ラインが幅方向に並べられたフラットケーブルと、該フラットケーブルの各信号ラインとの電気的接続を行い該フラットケーブルの幅方向一端側の第１信号ラインから入力された信号を該フラットケーブルの幅方向一端に対する他端側の第２信号ラインに出力するコネクタとの電気的接続が正常であるか異常であるかを診断する異常診断装置であって、
前記第１信号ラインに信号を送信する送信部と、
前記第２信号ラインを通って出力されてきた信号を受信する受信部と、
前記送信部から前記第１信号ラインにテスト信号を送信させ前記受信部で該テスト信号を受信したか否かを判定し、該受信部で該テスト信号を受信した場合には、前記フラットケーブルと前記コネクタとの電気的接続が正常であると診断し、該受信部で該テスト信号を受信しなかった場合には、該フラットケーブルと該コネクタとの電気的接続に異常があると診断する診断部とを備えたことを特徴とする異常診断装置。
【請求項２】
前記診断部による診断結果をネットワークを介して外部に送信するインターフェースを備えたことを特徴とする請求項１記載の異常診断装置。
【請求項３】
前記診断部が、ネットワークを介して受けた指示により、前記送信部から前記第１信号ラインにテスト信号を送信させるものであることを特徴とする請求項１記載の異常診断装置。
【請求項４】
画像信号が入力され入力された画像信号に所定の画像処理を施し該画像処理を施した処理済画像信号を出力する画像処理ユニットが正常であるか異常であるかを診断する異常診断装置であって、
所定のテスト用画像信号に前記画像処理を施したテスト用処理済画像信号を記録しておくメモリと、
前記画像処理ユニットに前記テスト用画像信号を入力し該画像処理ユニットから出力された処理済画像信号が前記メモリに記録されているテスト用処理済画像信号と一致するか否かを判定し、一致した場合には前記画像処理ユニットが正常であると診断し、不一致だった場合には該画像処理ユニットに異常があると診断する診断部とを備えたことを特徴とする異常診断装置。
【請求項５】
前記診断部による診断結果をネットワークを介して外部に送信するインターフェースを備えたことを特徴とする請求項４記載の異常診断装置。
【請求項６】
前記診断部が、ネットワークを介して受けた指示により、前記画像処理ユニットに前記テスト用画像信号を入力するものであることを特徴とする請求項４記載の異常診断装置。
【請求項７】
画像を読み取り、読み取った画像を表す画像信号を生成する画像読取装置において、
複数の長尺な信号ラインが幅方向に並べられたフラットケーブルと、
前記フラットケーブルの各信号ラインとの電気的接続を行い該フラットケーブルの幅方向一端側の第１信号ラインから入力された信号を該フラットケーブルの幅方向一端に対する他端側の第２信号ラインに出力するコネクタと、
前記第１信号ラインに信号を送信する送信部と、
前記第２信号ラインを通って出力されてきた信号を受信する受信部と、
前記送信部から前記第１信号ラインにテスト信号を送信させ前記受信部で該テスト信号を受信したか否かを判定し、該受信部で該テスト信号を受信した場合には、前記フラットケーブルと前記コネクタとの電気的接続が正常であると診断し、該受信部で該テスト信号を受信しなかった場合には、該フラットケーブルと該コネクタとの電気的接続に異常があると診断する診断部とを備えたことを特徴とする画像読取装置。
【請求項８】
画像を読み取り、読み取った画像を表す画像信号を生成する画像読取装置において、
画像信号が入力され入力された画像信号に所定の画像処理を施し該画像処理を施した処理済画像信号を出力する画像処理ユニットと、
所定のテスト用画像信号に前記画像処理を施したテスト用処理済画像信号を記録しておくメモリと、
前記画像処理ユニットに前記テスト用画像信号を入力し該画像処理ユニットから出力された処理済画像信号が前記メモリに記録されているテスト用処理済画像信号と一致するか否かを判定し、一致した場合には前記画像処理ユニットが正常であると診断し、不一致だった場合には該画像処理ユニットに異常があると診断する診断部とを備えたことを特徴とする画像読取装置。
【発明の詳細な説明】
【技術分野】
【０００１】
本発明は、部品の機能異常を診断する異常診断装置、および、この異常診断装置を備えた画像読取装置に関する。
【背景技術】
【０００２】
従来より、スキャナ、ファクシミリ、デジタル複写機などの、画像を読み取り、読み取った画像を表す画像信号を生成する画像読取装置では、その構成部品の機能に異常が発生すると、異常内容を示すエラーコードが出力されるようになっている。サービスマンは、そのエラーコードから、経験を頼りに異常が発生したと思われる構成部品に見当を付け、見当を付けた部品を順次交換しながら異常が発生した部品の特定を行なっている。
【０００３】
しかし、これだと、異常が発生した部品を特定するまでの時間が、サービスマンの経験などに大きく依存することとなる。そこで、モニタ手段を複数備え、各モニタ手段からの診断結果を総合的に判断して異常が発生した部品を特定する提案がなされている（特許文献１参照）。
【特許文献１】特開平３−１３５２６３号公報
【発明の開示】
【発明が解決しようとする課題】
【０００４】
しかし、上記提案では、複数あるモニタ手段からの診断結果をどのように判断して、異常が発生した部品を特定するかについては示されているものの、各モニタ手段が、装置内の各構成部品に対しどのように診断を下すかについての具体的な記載はない。
【０００５】
本発明は、上記事情に鑑み、装置を構成する部品の機能の異常を診断する異常診断装置、および、この異常診断装置を備えた画像読取装置を提供することを目的とする。
【課題を解決するための手段】
【０００６】
上記目的を達成するための本発明の異常診断装置のうちの第１の異常診断装置は、
複数の長尺な信号ラインが幅方向に並べられたフラットケーブルと、このフラットケーブルの各信号ラインとの電気的接続を行いこのフラットケーブルの幅方向一端側の第１信号ラインから入力された信号をこのフラットケーブルの幅方向一端に対する他端側の第２信号ラインに出力するコネクタとの電気的接続が正常であるか異常であるかを診断する異常診断装置であって、
上記第１信号ラインに信号を送信する送信部と、
上記第２信号ラインを通って出力されてきた信号を受信する受信部と、
上記送信部から上記第１信号ラインにテスト信号を送信させ上記受信部でこのテスト信号を受信したか否かを判定し、この受信部でこのテスト信号を受信した場合には、上記フラットケーブルと上記コネクタとの電気的接続が正常であると診断し、この受信部でこのテスト信号を受信しなかった場合には、このフラットケーブルとこのコネクタとの電気的接続に異常があると診断する診断部とを備えたことを特徴とする。
【０００７】
従来においては、フラットケーブルに接続された部品に異常が発生する原因としては、その部品自身の異常によるもの、あるいはフラットケーブルの断線等によるものが主であるが、部品のコネクタにフラットケーブルが正確に差し込まれていないことによるものも原因としてあげられる。本発明は、部品のコネクタにフラットケーブルが正確に差し込まれていないことが異常の原因の場合には、ただ単にフラットケーブルを差し直せば簡単に正常に戻ることも多く、時間を要する、部品あるいはフラットケーブルの取り替えを行う前に、とりあえずは部品のコネクタとフラットケーブルとの接続具合を診断することにメリットが多い点に着目してなされた発明であり、本発明の第１の異常診断装置では、フラットケーブルの幅方向一端側の第１信号ラインに送信したテスト信号が、第１信号ライン対する他端側の第２信号ラインで受診できるか否かによって、コネクタに対しフラットケーブルが電気的に正常に接続されているか否かを診断することができる。
【０００８】
ここで、上記診断部による診断結果をネットワークを介して外部に送信するインターフェースを備えたことが好ましい。
【０００９】
このようにすると、遠隔地においても診断結果を確認でき便利である。
【００１０】
また、上記診断部が、ネットワークを介して受けた指示により、上記送信部から上記第１信号ラインにテスト信号を送信させるものであることも好ましい態様である。
【００１１】
このようにすると、遠隔地からも診断指示を出すことができ便利である。
【００１２】
上記目的を達成するための本発明の異常診断装置のうちの第２の異常診断装置は、
画像信号が入力され入力された画像信号に所定の画像処理を施しこの画像処理を施した処理済画像信号を出力する画像処理ユニットが正常であるか異常であるかを診断する異常診断装置であって、
所定のテスト用画像信号に上記画像処理を施したテスト用処理済画像信号を記録しておくメモリと、
上記画像処理ユニットに上記テスト用画像信号を入力しこの画像処理ユニットから出力された処理済画像信号が上記メモリに記録されているテスト用処理済画像信号と一致するか否かを判定し、一致した場合には上記画像処理ユニットが正常であると診断し、不一致だった場合にはこの画像処理ユニットに異常があると診断する診断部とを備えたことを特徴とする。
【００１３】
本発明の第２の異常診断装置では、画像処理ユニットにテスト用画像信号を入力して得た処理済画像信号が、例えば、画像処理ユニットが正常な時に得ておいた処理済画像信号と一致するか否かによって、画像処理ユニットが正常か否かを診断することができる。
【００１４】
ここで、上記診断部による診断結果をネットワークを介して外部に送信するインターフェースを備えることが好ましい。また、上記診断部が、ネットワークを介して受けた指示により、上記画像処理ユニットに上記テスト用画像信号を入力するものであることも好ましい態様である。
【００１５】
上記目的を達成するための本発明の画像読取装置のうちの第１の画像読取装置は、
画像を読み取り、読み取った画像を表す画像信号を生成する画像読取装置において、
複数の長尺な信号ラインが幅方向に並べられたフラットケーブルと、
上記フラットケーブルの各信号ラインとの電気的接続を行いこのフラットケーブルの幅方向一端側の第１信号ラインから入力された信号をこのフラットケーブルの幅方向一端に対する他端側の第２信号ラインに出力するコネクタと、
上記第１信号ラインに信号を送信する送信部と、
上記第２信号ラインを通って出力されてきた信号を受信する受信部と、
上記送信部から上記第１信号ラインにテスト信号を送信させ上記受信部でこのテスト信号を受信したか否かを判定し、この受信部でこのテスト信号を受信した場合には、上記フラットケーブルと上記コネクタとの電気的接続が正常であると診断し、この受信部でこのテスト信号を受信しなかった場合には、このフラットケーブルとこのコネクタとの電気的接続に異常があると診断する診断部とを備えたことを特徴とする。
【００１６】
上記目的を達成するための本発明の画像読取装置のうちの第２の画像読取装置は、
画像を読み取り、読み取った画像を表す画像信号を生成する画像読取装置において、
画像信号が入力され入力された画像信号に所定の画像処理を施しこの画像処理を施した処理済画像信号を出力する画像処理ユニットと、
所定のテスト用画像信号に上記画像処理を施したテスト用処理済画像信号を記録しておくメモリと、
上記画像処理ユニットに上記テスト用画像信号を入力しこの画像処理ユニットから出力された処理済画像信号が上記メモリに記録されているテスト用処理済画像信号と一致するか否かを判定し、一致した場合には上記画像処理ユニットが正常であると診断し、不一致だった場合にはこの画像処理ユニットに異常があると診断する診断部とを備えたことを特徴とする。
【発明の効果】
【００１７】
本発明よれば、装置の構成する部品の機能の異常を診断する異常診断装置、および、この異常診断装置を備えた画像読取装置を提供することができる。
【発明を実施するための最良の形態】
【００１８】
以下、本発明の実施の形態について説明する。
【００１９】
図１は、本発明の第１の異常診断装置および本発明の第２の異常診断装置の共通の一実施形態を備えた、本発明の第１の画像読取装置および本発明の第２の画像読取装置の共通の一実施形態の概略断面図である。
【００２０】
図１に示す本実施形態の画像読取装置１は、箱型の筐体１１と、この筐体１１の上部を覆うカバー１２とで構成されており、この筐体１１の、カバー１２と接触する面にはプラテンガラス１１ａが嵌め込まれている。また、カバー１２の、筐体１１と接触する面には、後述するシェーディング補正用の白基準板１２ａが嵌め込まれている。このカバー１２は、図１における奥側に位置する、筐体１１の上面端部に備えられた不図示のヒンジに係合されて起伏自在となっている。
【００２１】
このカバー１２の上部には、原稿を載置するための支持トレイ１２ｂが取り付けられており、このカバー１２には、支持トレイ１２ｂ上に載置された原稿を引き込むオートフィード機構１２１が備えられている。このオートフィード機構１２１によってカバー１２の内部に引き込まれた原稿１０は、搬送ルートＡに沿って搬送され、搬送ルートＡの、図１における最下点付近で読み取られた後、この支持トレイ１２ｂの下方に確保された排出空間１２ｃに排出されるようになっている。尚、このオートフィード機構１２１には、支持トレイ１２ｂに載置されている原稿１０を引き込む引込ローラ１２１ａ、引き込んだ原稿１０を搬送ルートＡに沿って搬送する搬送ローラ１２１ｂ、および、原稿１０を排出空間１２ｃに排出する排出ローラ１２１ｃも備えられている。
【００２２】
図１に示す筐体１１の内部には、上述したオートフィード機構１２１により搬送されてくる原稿１０を、所定の位置で読み取ると共に、プラテンガラス１１ａ上に載置された原稿を読み取る際には、自らが移動しながら読み取りを行う第１キャリッジ１１１および第２キャリッジ１１２等を有する画像読取機構１１０が備えられている。
【００２３】
この画像読取機構１１０は、プラテンガラス１１ａに向かって光を照射する光照射部１１１ａ、および、プラテンガラス上の原稿１０に反射して戻ってきた反射光をプラテンガラス１１ａに略平行の方向に反射する第１反射ミラー１１１ｂを有する第１キャリッジ１１１と、第１反射ミラー１１１ｂで反射された反射光を反射する第２反射ミラー１１２ａ、および、第２反射ミラー１１２ａによって反射された反射光を反射する第３反射ミラー１１２ｂを有する第２キャリッジ１１２とを備えている。これら第１キャリッジ１１１および第２キャリッジ１１２は、図示しないステッピングモータにより、図１における左右方向（副走査方向）に往復移動可能に構成されている。
【００２４】
また、この画像読取機構１１０は、上述の第３反射ミラー１１２ｂによって反射された反射光を収束するレンズ１１３と、上方から順にＲ、Ｇ、Ｂ各色毎に備えられたＣＣＤ（電荷結合素子）１１４ａ、１１４ｂ、１１４ｃ、および、これらが取り付けられたＣＣＤ基板１１４ｄからなるＣＣＤ部１１４と、このＣＣＤ部１１４の各色ＣＣＤ１１４ａ、１１４ｂ、１１４ｃを駆動するＣＣＤ駆動回路１１５と、各色ＣＣＤ１１４ａ、１１４ｂ、１１４ｃから出力された画像信号に画像処理を施した処理済画像信号を出力する読取信号処理基板１１８と、インターネット接続用のポート１１９とを備えている。
【００２５】
ここで、光源１１１ａの発光は、読取信号処理基板１１８に備えられたＣＰ１１８ｅ（図２参照）からの指示により制御されており、光源１１１ａとこのＣＰＵ１１８ｅは、フレキシブルフラットケーブル（以下、これをＦＦＣと称す）１１６によって接続されており、ＣＣＤ基板１１４ｄと読取信号処理基板１１８は、複数の長尺な信号ラインが幅方向に並べられたフレキシブルプリントケーブル（以下、これをＦＰＣと称す）１１７で接続されている。尚、各色用ＣＣＤ１１４ａ、１１４ｂ、１１４ｃは、図１における手前側から奥側にかけて複数個並べられてＣＣＤ基板１１４ｄに上下方向に３段で取り付けられている。尚、本発明にいうフラットケーブルには、本実施形態のＦＦＣ１１６およびＦＰＣ１１７が含まれるが、後述するように、本実施形態ではＦＰＣ１１７とコネクタの電気的接続を診断する。
【００２６】
この画像読取装置１では、上記構成により、光源１１１ａからの光が原稿を照射し、これによる反射光が各色用に分けられたＣＣＤ１１４ａ、１１４ｂ、１１４ｃに入射する。これらＣＣＤ１１４ａ、１１４ｂ、１１４ｃからは入射光に応じた信号が出力され、これら出力信号が読取信号処理基板１１８に入力されることで各色毎の画像信号が生成される。
【００２７】
図２は、図１に示す読取信号処理基板の回路ブロック図を示す図である。
【００２８】
図２に示す読取信号処理基板１１８は、サンプルホールド回路１１８１ｂ、出力増幅回路１１８２ｂ、およびＡ／Ｄ変換回路１１８３ｂからなるアナログフロントエンド１１８ｂと、シェーディング補正回路１１８１ｃおよび出力遅延回路１１８２ｃからなるＡＳＩＣ１１８ｃと、その他の画像処理を行う画像処理回路１１８ｄと、これら各回路に指示を出すＣＰＵ１１８ｅと、所定の信号データ等が記憶されたＲＯＭ１１８ｆと、各種データを記憶するためのＥＥＰＲＯＭ１１８ｇとで構成されている。
【００２９】
図２には、シェーディング補正回路１１８１ｃにメモリ１１８０ｃが備えられ、インターネット１５０への接続用のポート１１９に通信ボード１１９ａが備えられている様子が示されている。
【００３０】
また、図２には、この読取信号処理基板１１８を備えた画像読取装置１が、インターネット１５０と接続されたパーソナルコンピュータ１６０と通信可能である様子も示されている。尚、読取信号処理基板１１８の各構成要素については、公知の回路であるのでそれら回路における処理の説明は省略する。尚、通信ボード１１９ａが、本発明にいうインターフェースの一例に相当する。
【００３１】
さらに、図２には、パターンジェネレータ回路１１８ａが読取信号処理基板１１８の先頭部分に備えられている様子が示されている。
【００３２】
このパターンジェネレータ回路１１８ａからは、ＣＰＵ１１８ｅからの指示によって所定の信号がアナログフロントエンド１１８ｂに出力されるようになっており、この所定の信号が、本発明のテスト用画像信号の一例に相当する。
【００３３】
ＣＰＵ１１８ｅは、アナログフロントエンド１１８ｂを経た、この所定の信号に基づく信号をシェーディング補正回路１１８１ｃに備えられたメモリ１１８０ｃに記憶するように指示を出し、このメモリ１１８０ｃに記憶させた信号と、予めＲＯＭ１１８ｆに記憶されている、この読取信号処理基板１１８が正常である場合に出力される期待信号とが一致するか否かを判定する。この判定において不一致の場合には、この読取信号処理基板１１８に異常があるとの診断結果が、ＥＥＰＲＯＭ１１８ｇの所定の領域に記憶される。尚、メモリ１１８０ｃが、本発明にいうメモリの一例に相当し、期待信号が、本発明にいうテスト用処理済画像信号の一例に相当する。
【００３４】
この画像読取装置１では、ＣＣＤ基板１１４ｄと読取信号処理基板１１８は、前述したようにＦＰＣ１１７によって接続されており、このＦＰＣ１１７の両端の信号ラインを除き、このＦＰＣ１１７の信号ラインは、ＣＣＤ基板１１４ｄから読取信号処理基板１１８のアナログフロントエンド１１８ｂへの画像信号の送信に使用されている。
【００３５】
一方、ＦＰＣ１１７の両端の信号ラインである、第１信号ライン１１７１および第２信号ライン１７２（図３参照）は、ＣＣＤ基板１１４ｄに備えられているコネクタ１１４ｅにＦＰＣ１１７の端部に取り付けられたコネクタが正常に接続されているか否かを診断するための専用ラインとして使用されている。また、光源１１１ａと読取信号処理基板１１８のＣＰＵ１１８ｅは、ＦＦＣ１１６によって接続されており、このＦＦＣ１１６は、ＣＰＵ１１８ｅから光源１１１ａに対する指示の送信に用いられている。尚、コネクタ１１４ｅが、本発明にいうコネクタの一例に相当する。
【００３６】
図３は、ＣＣＤ基板に備えられたコネクタおよびＦＰＣの外観斜視図である。
【００３７】
図３には、このＦＰＣ１１７の端部に取り付けられたコネクタ１１７ａが、ＣＣＤ基板１１４ｄに備えられたコネクタ１１４ｅに接続される前の状態が示されている。ＣＣＤ基板１１４ｄのコネクタ１１４ｅ内部には、一方の面だけに接点１１４１１（図４参照）を有する２枚の片接点基板１１４１ｅが接点同士を向き合うようにして備えられ、ＦＰＣ１１７のコネクタ１１７ａの内部には、表裏両面に接点１１７１を千鳥状に有する両接点基板１１７ｂが備えられている。これらコネクタの電気的接続は、接点同士が向き合うように備えられた２枚の片接点基板１１４１ｅの間に両接点基板１１７ｂを嵌め込むことでとられる。
【００３８】
図４は、ＣＣＤ基板のコネクタにＦＰＣのコネクタが正常に接続された際の、それぞれに備えられた接点基板の様子を図３に示す矢視Ｘの向きに透視した場合の図である。
【００３９】
図４には、２枚の片接点基板１１４１ｅの間に両接点基板１１７ｂが嵌め込まれていることで、双方の接点が互いに接触している様子が示されている。この画像読取装置１では、ＦＰＣ１１７のコネクタ１１７ａに備えられた両接点基板１１７ｂの両端の、第１信号ラインに繋がる第１接点１１７１ｂおよび第２信号ライン１１７２に繋がる第２接点１１７２ｂを、ＦＰＣ１１７のコネクタ１１７ａがＣＣＤ基板１１４ｄのコネクタ１１４ｅに正常に接続されているかの診断用として使用するために、２枚の片接点基板１１４１ｅ画有する接点のうちの両端に位置する、第１接点１１４１１と第２接点１１４１２は、互いに短絡ライン１１４１３により短絡されている。したがって、この画像読取装置１では、ＣＰＵ１１８ｅがＦＰＣ１１７の、両端の信号ラインのうちの一端側の第１信号ライン１１７１に送信したテスト信号を、両端の信号ラインのうちの他端側の第２信号ライン１１７２で受信したか否かにより、ＦＰＣ１１７のコネクタ１１７ａとＣＣＤ基板１１４ｄのコネクタ１１４ｅとの電気的接続が正常であるか否かを診断することができる。
【００４０】
この画像読取装置１では、以上に説明した、ＣＣＤ基板１１４ｄと読取信号処理基板１１８を接続するＦＰＣ１１７の接続診断、読取信号処理基板１１８の動作診断のほかに、ＣＣＤ駆動回路１１５とＣＣＤ基板１１４ｄとを含むＣＣＤ系の動作診断、および、光源１１１ａと、この光源１１１ａとＣＰＵ１１８ｅを接続するＦＦＣ１１６とを含む光源系の動作診断を行っており、これらの診断結果は、ＥＥＰＲＯＭ１１８ｇの所定の領域に記憶されるようになっている。以下では、これら診断の流れについて説明する。
【００４１】
図５は、本実施形態の画像読取装置において異常診断を行うために起動されるルーチンのフローチャートである。
【００４２】
図５に示すステップＳ１では、インターネット１５０を介してパーソナルコンピュータ１６０から異常診断の実施指示が送信されているか否かを判定し、指示が送信されていなければ待機し、送信されていれば、ステップＳ２に進む。ステップＳ２では、図２に示すＥＥＰＲＯＭ１１８ｇの一部に確保した、診断結果を記憶しておく所定の領域２００（図９参照）の内容の、「０」への書き換えを指示する。尚、以下では、診断結果が正常であれば「０」が、異常であれば「１」が所定の領域２００に記憶される。
【００４３】
ステップＳ３では、第１キャリッジ１１１に白基準板１２ａの下方への移動を指示し、その後、ステップＳ４において、サブルーチン‘光源―ＣＣＤ診断’を起動する。
【００４４】
図６は、サブルーチン‘光源―ＣＣＤ診断’のフローチャートである。
【００４５】
図６に示すステップＳ４０では、光源１１１ａにオンを指示し、ステップＳ４１において１００ｍｓｅｃ待機する。ステップＳ４２では、各色（Ｒ色、Ｇ色、Ｂ色）ＣＣＤ１１４、１１４ｂ、１１４ｃの中央部分の４０画素によって読み取った信号から各色ごとの平均値の算出を指示する。
【００４６】
ステップＳ４３では、各色ごと平均値が全て光源チェック用の閾値Ａ以下であるか否かを判定する。ステップＳ４３において、全て閾値Ａ以下ではない、即ち光源系には異常がないと判定すると、ステップＳ４４に進み、各色ごとの平均値が全て閾値Ａを上回っているか否を判定する。
【００４７】
ステップＳ４４において、全て上回っている、ＣＣＤ系にも異常が無いと判定すると、ステップＳ４５に進み、光源１１１ａにオフを指示し、メインルーチンのステップＳ５に戻る。
【００４８】
ここで、ステップＳ４３において、全ての平均値が閾値Ａ以下であると判定すると、ステップＳ４６に進み、光源１１１ａに異常が発生していることを意味する「１」の記憶を指示する。また、ステップＳ４４において、全てが上回っていないと判定するとＣＣＤの診断結果として「１」の記憶を指示する。尚、光源１１１ａの診断結果およびＣＣＤの診断結果として「１」が記憶されなければ、これらの診断結果は、メインルーチンのステップＳ２において記憶した、異常なしを示す「０」が記憶されたままとなる。
【００４９】
ここで、図５に戻って説明を続ける。
【００５０】
図５に示すステップＳ５では、図２に示すＦＰＣ１１７の接続診断を行なうサブルーチン‘ＦＰＣ接続診断’を起動する。
【００５１】
図７は、サブルーチン‘ＦＰＣ接続診断’のフローチャートである。
【００５２】
図７に示すステップＳ５０では、ＣＰＵ１１８ｅの、図３に示す第１信号ライン１１７１に繋がる出力ポートにおいて‘Ｈ’をアサートし、ステップＳ５１において１０ｍｓｅｃ待機する。その後、ステップＳ５２において、ＣＰＵ１１８ｅの、図３に示す第２信号ライン１１７２に繋がる入力ポートの信号レベルが‘Ｈ’であるか否かを判定する。ステップＳ５２において、信号レベルが‘Ｈ’であると判定すると、ステップＳ５３に進み、今度は、図３に示す第１信号ライン１１７１に繋がる出力ポートにおいて‘Ｌ’をアサートし、ステップＳ５４において１０ｍｓｅｃ待機する。その後、ステップＳ５５において、ＣＰＵ１１８ｅの、図３に示す第２信号ライン１１７２に繋がる入力ポートの信号レベルが‘Ｌ’であるか否かを判定する。ステップＳ５５において、信号レベルが‘Ｌ’であると判定すると、前述の、診断結果が記憶される所定の領域２００の記憶を「０」としたままメインルーチンのステップＳ６に戻る。ここで、ステップＳ５２において、信号レベルが‘Ｈ’でないと判定するか、あるいは、ステップＳ５５において、信号レベルが‘Ｌ’でないと判定すると、ステップＳ５６において、ＦＰＣ接続の診断結果として「１」の記憶を指示する。その後、メインルーチンのステップＳ６に戻る。
【００５３】
再び、図５に戻って説明を続ける。
【００５４】
図５に示すステップＳ６では、読取信号処理基板１１８の動作を診断するサブルーチン‘ＩＰＳ診断’を起動する。
【００５５】
図８は、サブルーチン‘ＩＰＳ診断’のフローチャートである。
【００５６】
図８に示すステップＳ６０では、図２に示すパターンジェネレータ回路１１８ａに対してアナログフロントエンド１１８ｂへのテストパターン信号の入力を指示する。ステップＳ６１では、図２に示すＡＳＩＣ１１８ｃに、上記パターン信号に応じてアナログフロントエンド１１８ｂから出力されてきた信号の、シェーディング補正回路１１８１ｃに備えられたメモリ１１８０ｃへの記憶を指示する。ステップＳ６２では、予め、図２に示すＲＯＭ１１８ｆに記憶しておいた、このアナログフロントエンドが正常に動作したならば得られであろう期待信号と、メモリ１１８０ｃに記憶されている信号とが一致するか否かを判定する。ステップＳ６２において、一致すると判定すると、前述の、診断結果が記憶される所定の領域２００の記憶を「０」としたままメインルーチンのステップＳ７に戻る。一致しないと判定するとステップＳ６３に進み、ＩＰＳ診断結果として「１」の記憶を指示し、その後、メインルーチンのステップＳ７に戻る。
【００５７】
図５に示すメインルーチンのステップＳ７では、これら診断結果から異常が発生していると考えられる部品の絞り込みが指示され、ステップＳ８では、異常が発生しているとされた部品を表す部品番号の、ＥＥＰＲＯＭ１１８ｇへの記憶を指示する。
【００５８】
ここで、図９は、以上の診断において得られた診断結果の一例が、図２に示すＥＥＰＲＯＭの所定の領域に記憶されている様子を示す図である。
【００５９】
図９には、上述の診断については、所定の領域２００の中の‘光源診断’用の領域‘光源’２０１および‘ＣＣＤ診断’用の領域‘ＣＣＤ’２０２に「１」が記憶され、‘ＦＰＣ接続診断’用の領域‘ＦＰＣ’２０３および‘ＩＰＳ診断’用の領域‘ＩＰＳ’２０４に「０」が記憶されている様子が示されている。
【００６０】
以下に示す表１には、図９に示す診断結果について、異常が発生していると考えられる部品を絞り込む際に参照する、図２に示すＲＯＭ１１８ｆに記憶されているテーブルの内容が示されている。
【００６１】
【表１】
2006128969.tif 000003
【００６２】
この画像読取装置１では、図９に示す診断結果は、表１における‘Ｎｏ２’に該当することから、異常が発生している可能性のある部品として‘０１’および‘１０’を特定する。尚、領域‘光源’２０１および‘領域‘ＣＣＤ’２０２の双方に「１」が記憶されているにも拘わらず、交換部品として挙げられたのが‘光源’および‘光源用ＦＦＣ’であって、ＣＣＤが挙げられていない理由は、サブルーチン‘光源−ＣＣＤ診断’におけるフローチャート上、先に正常か異常かが判定される光源に異常が発生している場合にはおのずとＣＣＤについても異常が有ると判定せざるを得なくなるためであり、このようにして領域‘光源’２０１および‘領域‘ＣＣＤ’２０２の双方共が「１」になっている場合では、そのほとんどが光源系、即ち光源１１１ａ自身かあるいは光源用のＦＦＣ１１６に異常が発生している確率が高いためである。また、この画像読取装置１では、いずれを交換部品として挙げるかについては、光源用のＦＦＣ１１６よりも光源１１１ａ自身に異常が発生しやすく、光源系およびＣＣＤよりも、ＦＰＣおよびＩＰＳに異常が発生しやすいとして優先的に部品名が挙げられるようになっている。上述したようにして異常ありと判定された部品番号は、ＥＥＰＲＯＭ１１１８ｆに記憶される。
【００６３】
図５に示すステップＳ９では、通信ボード１１９ａに対して、ＥＥＰＲＯＭ１１８ｇに記憶した部品番号の、パーソナルコンピュータ１６０への送信を指示し、このルーチンを終了する。
【００６４】
以上に説明した実施形態では、一連の診断が、インターネットを介して受けた指示により開始されると共に診断結果がネットワークを介して外部に送信される例を挙げて説明したが、本発明はこれに限るものではなく、画像読取装置自身に備えられた操作パネル等への操作により診断の開始が指示されると共に診断結果を操作パネルに表示するものであってもよい。また、これら診断が、画像読取装置１の電源投入直後の初期化動作の時に行われるものであってもよい。
【図面の簡単な説明】
【００６５】
【図１】本発明の第１の異常診断装置および本発明の第２の異常診断装置の共通の一実施形態を備えた、本発明の第１の画像読取装置および本発明の第２の画像読取装置の共通の一実施形態の概略断面図である。
【図２】図１に示す読取信号処理基板の回路ブロック図を示す図である。
【図３】ＣＣＤ基板に備えられたコネクタおよびＦＰＣの外観斜視図である。
【図４】ＣＣＤ基板のコネクタにＦＰＣのコネクタが正常に接続された際の、それぞれに備えられた接点基板の様子を図３に示す矢視Ｘの向きに透視した場合の図である。
【図５】本実施形態の画像読取装置において異常診断を行うために起動されるルーチンのフローチャートである。
【図６】サブルーチン‘光源―ＣＣＤ診断’のフローチャートである。
【図７】サブルーチン‘ＦＰＣ接続診断’のフローチャートである。
【図８】サブルーチン‘ＩＰＳ診断’のフローチャートである。
【図９】以上の診断において得られた診断結果の一例が、図２に示すＥＥＰＲＯＭの所定の領域に記憶されている様子を示す図である。
【符号の説明】
【００６６】
１  画像読取装置
１１  筐体
１１ａ  プラテンガラス
１１０  画像読取機構
１１１  第１キャリッジ
１１１ａ  光源
１１２  第２キャリッジ
１１３  レンズ
１１４  ＣＣＤ部
１１４ａ、１１４ｂ、１１４ｃ  ＣＣＤ
１１４ｄ  ＣＣＤ基板
１１４ｅ  コネクタ
１１４１ｅ  片接点基板
１１４１１  接点
１１４１２  短絡ライン
１１５  ＣＣＤ駆動回路
１１６  ＦＦＣ
１１７  ＦＰＣ
１１７ａ  コネクタ
１１７ｂ  両接点基板
１１７１  接点
１１８  読取信号処理基板
１１８ａ  パターンジェネレータ回路
１１８ｂ  アナログフロントエンド
１１８ｃ  ＡＳＩＣ
１１８０ｃ  メモリ
１１８ｄ  画像処理回路
１１８ｅ  ＣＰＵ
１１８ｆ  ＲＯＭ１
１１８ｇ  ＥＥＰＲＯＭ
１１９  ポート
１１９ａ  通信ボード
１２  カバー
１５０  インターネット
１６０  パーソナルコンピュータ
２００  領域
【図１】
2006128969.tif 000004
【図２】
2006128969.tif 000005
【図３】
2006128969.tif 000006
【図４】
2006128969.tif 000007
【図５】
2006128969.tif 000008
【図６】
2006128969.tif 000009
【図７】
2006128969.tif 000010
【図８】
2006128969.tif 000011
【図９】
2006128969.tif 000012